(57)【要約】【課題】圧縮機本体に固定保持した配線が、振動によって駆動軸の軸方向にたるむのを未然に回避し、この配線が電磁クラッチに巻き込まれるのを防止することができる圧縮機の構造を提供する。【解決手段】電源から配線５を介して電力を供給される電磁クラッチ４によって、回転する駆動軸３の駆動力を断続する圧縮機１の構造であって、圧縮機１の本体２に、配線５の配設方向を駆動軸３の軸方向に対して交差する方向に規制する規制手段９を設けるようにした。【選択図】　　　図１
2004052714.tif 000002
【特許請求の範囲】
【請求項１】
電源から配線（５）を介して電力を供給される電磁クラッチ（４）によって、回転する駆動軸（３）の駆動力を断続する圧縮機（１）の構造であって、
上記圧縮機（１）の本体（２）に、上記配線（５）の配設方向を上記駆動軸（３）の軸方向に対して交差する方向に規制する規制手段（９、３０）を設けた
ことを特徴とする圧縮機の構造。
【請求項２】
上記圧縮機（１）の本体（２）における上記規制手段（９、３０）によって上記配線（５）の配設方向を規制する部分に、上記配線（５）を保持するための溝（１１、３１）が設けられた
ことを特徴とする請求項１に記載の圧縮機の構造。
【請求項３】
上記規制手段（９、３０）は、上記圧縮機（１）の本体（２）と係止する係止部（９ａ、３０ｂ）と、
上記配線（５）を保持する配線保持部（９ｂ）とを有し、
上記配線保持部（９ｂ）は、上記配線（５）を囲繞するように保持するとともに、
上記配線（５）を出し入れするための開口部（Ｋ）を、上記圧縮機（１）の本体（２）側に向けて設け、
上記規制手段（９、３０）の上記係止部（９ａ、３０ｂ）が上記圧縮機（１）の本体（２）に係止することによって、当該本体（２）で上記開口部（Ｋ）を塞ぐ
ことを特徴とする請求項２に記載の圧縮機の構造。
【請求項４】
上記係止部（９ａ、３０ｂ）は、弾性構造でなる
ことを特徴とする請求項３に記載の圧縮機の構造。
【請求項５】
上記配線（５）は、電源コネクタ（７）を介して上記電源と電気的に接続され、当該電源コネクタ（７）と上記電磁クラッチ（４）との間の上記規制手段（９、３０）によって上記配設方向が規制される部分に中継端子（８）を有する
ことを特徴とする請求項１ないし４のいずれかに記載の圧縮機の構造。
【請求項６】
上記電源コネクタ（７）は、上記規制手段（９、３０）によって上記配線（５）とともに上記圧縮機（１）の本体（２）に保持される
ことを特徴とする請求項５に記載の圧縮機の構造。
【請求項７】
上記配線（５）は、電源コネクタ（７）を介して上記電源と電気的に接続され、
上記電源コネクタ（７）に、この電源コネクタ（７）を上記圧縮機（１）の本体（２）に係止するための係止部（７ａ）が一体に成形された
ことを特徴とする請求項１ないし４のいずれかに記載の圧縮機の構造。
【請求項８】
上記電源コネクタ（７）の上記係止部（７ａ）は、弾性構造でなる
ことを特徴とする請求項７に記載の圧縮機の構造。
【発明の詳細な説明】
【０００１】
【発明の属する技術分野】
本発明は、圧縮機の構造に関し、特に車両に搭載される空気調和機に用いられる圧縮機の構造に適用して好適なものである。
【０００２】
【従来の技術】
従来、例えば車両に搭載される空気調和機等に用いられる圧縮機においては、電源であるバッテリから配線を介して電力を供給される電磁クラッチと連結され、この電磁クラッチの駆動力が駆動軸を介して伝達されるようになっている。
【０００３】
また、バッテリと電磁クラッチとの間の前記配線には、電源コネクタが設けられており、この電源コネクタは、圧縮機の本体にボルト等によって固定保持されている。
【０００４】
このような場合、電源コネクタと電磁クラッチとの間の配線は、駆動軸の回転に伴った圧縮機の振動等に起因して移動することにより、電磁クラッチの回転するプーリに巻き込まれるのを防止するため、固定板等を介してボルト止めすることによって圧縮機本体に固定保持されている。
【０００５】
【発明が解決しようとする課題】
しかしながら、かかる構成では、前記配線を圧縮機本体に対して前記駆動軸の軸方向に固定保持してあるため、圧縮機本体に固定保持した配線が、前記振動に起因して前記軸方向に移動して僅かにたるみだ場合、この僅かなたるみによって電磁クラッチのプーリに巻き込まれるおそれが未だ残されていた。
【０００６】
そこで、本発明は、圧縮機本体に固定保持した配線が振動によって駆動軸の軸方向にたるむのを未然に回避し、この配線が電磁クラッチに巻き込まれるのを防止することができる圧縮機の構造を提供するものである。
【０００７】
【課題を解決するための手段】
本発明にあっては、電源から配線を介して電力を供給される電磁クラッチの駆動力が駆動軸を介して伝達される圧縮機の構造であって、
上記圧縮機の本体に、上記配線の配設方向を上記駆動軸の軸方向に対して交差する方向に規制する規制手段を設けたことを特徴としている。
【０００８】
【発明の効果】
本発明によれば、配線が規制手段によって、駆動軸の軸方向に対して交差する方向に規制されながら圧縮機の本体に配設されるため、当該圧縮機が駆動軸の回転に伴って振動した場合においても、配線が振動によって駆動軸の軸方向にたるむのを未然に回避することができ、かくして配線が電磁クラッチに巻き込まれるのを確実に防止することができる。
【０００９】
【発明の実施の形態】
以下、本発明の実施形態について図面に基づき詳述する。
【００１０】
図１〜図３は、本発明にかかる圧縮機の構造の第１実施形態を示し、図１は圧縮機の上面図、図２は圧縮機の要部を示す斜視図、図３は図１中Ａ−Ａ’線に沿った要部拡大部分的断面図である。
【００１１】
図１において１は、第１実施形態による圧縮機の全体を示し、その本体２に図２に示す駆動軸３を介して電磁クラッチ４が接続されている。
【００１２】
電磁クラッチ４は、図示省略する電源（例えば車載されるバッテリ等）から配線５を介して電力が供給され、図示省略する制御部の制御に基づいてクラッチを繋いだり離したりすることにより、回転する駆動軸３の駆動力を断続させ、プーリ６を断続的に回転させる。
【００１３】
配線５は、圧縮機１の本体２にボルトＢ等によって固定保持される電源コネクタ７を介して前記電源と電気的に接続されており、この電源コネクタ７と電磁クラッチ４との間の配線５には、いわゆるギボシ端子等の中継端子８が設けられている。
【００１４】
かかる構成の圧縮機の場合、中継端子８は規制手段であるクリップ９によって、圧縮機１の本体２に配設されている。このとき、中継手段８はクリップ９により、前記駆動軸３の軸方向に対して交差する方向（本実施の形態の場合、軸方向に対して直交する方向）に配設方向を規制されて固定保持されている。
【００１５】
このクリップ９は図２に示すように、圧縮機１の本体２に穿設される係止穴１０に係止する係止部９ａと、配線５を囲繞するように保持するとともに、この配線５を出し入れするための開口部Ｋを圧縮機１の本体２側に向けて設けた配線保持部９ｂとで構成されている。
【００１６】
具体的に係止部９ａは、図３に示すように、ばね形状等の弾性構造でなり、本体２の係止穴１０に通すと図中矢印Ｘ方向の付勢力によって、この係止穴１０と確実に係止する。このとき、クリップ９の配線保持部９ｂに設けられた開口部Ｋは、配線保持部９ｂの係止部９ａが形成される一端９ｃに対向した他端９ｄの長さが中継端子８の直径とほぼ同じ長さであることから本体２によってふさがれるため、配線５の中継端子８部分を囲繞するように確実に保持することができる。
【００１７】
一方、この係止部９ａは矢印Ｘ方向とは反対の前記付勢力を解除する方向に押圧される（すなわち、この係止部９ａ上方を指などでつまむ）ことによって前記係止穴１０から取り外し得るようになっている。
【００１８】
また、圧縮機１の本体２における中継端子８の配設位置には、この中継端子８の形状に沿った溝１１が設けられており、クリップ９によって固定保持する配線５の中継端子８部分をずれることなく確実に保持することができるようになされている。
【００１９】
このようにして、第１実施形態の圧縮機１の構造では、電磁クラッチ４と電源とを結線する配線５の圧縮機１の本体２における配設方向を、クリップ９によって前記駆動軸３の軸方向に交差する方向に規制するため、この配線５をボルトを用いることなく、部品点数を削減して本体２に固定保持できるとともに、圧縮機１が駆動軸３の回転に伴って振動した場合においても、配線５が振動によって駆動軸３の軸方向にたるむのを未然に回避することができ、かくして配線５が電磁クラッチ４に巻き込まれるのを確実に防止することができる。
【００２０】
また、この圧縮機１の構造では、電磁クラッチ４と電源コネクタ７との間の配線５に中継端子８を設けるため、この部分の径を配線５の径に比べて太くすることができ、この中継端子８をクリップ９によって保持することにより、配線５を直接保持する際に比べて保持性を向上することができる。
【００２１】
さらに、中継端子８を設けることから、仮に圧縮機１をエンジンマウント等に組み付けた後に電源コネクタ７に破損等を生じた場合においても、中継端子８部分から電源コネクタ７を取り外して交換できるため、従来のような電源コネクタ７の交換のために圧縮機１を取り外す煩雑な作業を省略でき、電源コネクタ７の交換作業を格段と容易にすることができる。
【００２２】
これに加えて、この圧縮機１の構造では、その本体２における配線５の配設位置、すなわち中継端子８の配設位置に、この中継端子８の形状に沿った溝１１が設けられているため、クリップ９によって固定保持する配線５の中継端子８部分にずれが生じるのを未然に回避することができ、配線５を中継端子８部分で確実に保持することができる。
【００２３】
なお、この第１実施形態における圧縮機１の構造では、クリップ９の配線保持部９ｂの係止部９ａが形成される一端９ｃに対向した他端９ｄの長さを、中継端子８の直径とほぼ同じ長さにした場合について述べたが、本発明はこれに限らず、要は配線を囲繞するように保持するとともに、この配線を出し入れするために圧縮機の本体側に向けて設けられる開口部が、規制手段を圧縮機の本体に係止した際に当該本体によってふさがれるようにすれば、配線保持部の他端の長さをこの他種々の長さで形成することができる。
【００２４】
例えば図３との対応部分に同一符号を付して示した図４のように、前記本体２における係止穴１０の中継端子８を挟んだ対向側に、クリップ９の前記他端９ｄを挿入させるための挿入穴２０を穿設するとともに、当該クリップ９の他端９ｄを挿入穴２０に挿入可能な程度の長さで形成する。そして、クリップ９を圧縮機の本体２に係止した際に、この挿入穴２０にクリップ９の他端９ｄを挿入し、配線５を中継端子８部分で固定保持するようにしてもよい。
【００２５】
この場合、挿入穴２０に配線保持部９ｂの他端９ｄが入り込む分、開口部Ｋが本体２によって確実にふさがれ、配線５の保持性をより一層向上することができる利点を得ることができる。
【００２６】
図３との対応部分に同一符号を付した図５は、本発明を適用した圧縮機の構造における第２実施形態を示し、クリップ３０の形状が第１実施形態のクリップ９の形状と異なる点と、それに伴い圧縮機の本体２における電源コネクタ７の配設位置が異なる点およびその配設位置に電源コネクタ７の形状に沿った溝３１が設けられている点を除いて、第１実施形態による圧縮機１の構造とほぼ同様に構成されている。
【００２７】
具体的にこの第２実施形態による圧縮機の構造では、クリップ３０が第１実施形態のクリップ９における上面９ｅを前記他端９ｄからさらに延長して、電源コネクタ７を保持するためのコネクタ保持部２５を設けた形状で形成されている。
【００２８】
このコネクタ保持部２５は、圧縮機１の本体２と対向する方向に開口した開口部Ｋ１を有しており、この開口部Ｋ１から電源コネクタ７を出し入れするようになっている。
【００２９】
また、このコネクタ保持部２５の両側面、すなわちクリップ３０の係止部９ａとは反対側の側面を形成する端部３０ａと、端部９ｄとは、それぞれ同じ長さで形成されており、このクリップ３０が圧縮機１の本体２に係止した際に、当該本体２と当接して開口部Ｋ１を塞ぐようになされている。
【００３０】
一方、圧縮機１の本体２においては、電源コネクタ７の配設位置が中継端子８とほぼ平行する位置に変更されて併設されるとともに、この電源コネクタ７の配設位置には、電源コネクタ７の形状に沿った溝３１が設けられている。
【００３１】
これにより、クリップ３０が電源コネクタ７および中継端子８を介在して圧縮機１の本体２の係止穴１０に係止部９ａを係止した際、端部９ｄ、３０ａが本体２と当接して開口部Ｋ、Ｋ１を塞ぐため、これら開口部Ｋ、Ｋ１と対応する位置に設けられた溝１１、３１に収められた中継端子８および電源コネクタ７を上方から押圧するように一体に保持することができる。
【００３２】
従って、この第２実施形態では、クリップ３０によって電源コネクタ７を中継端子８と一体に圧縮機１の本体２に固定保持することができる分、部品点数を削減し、圧縮機１の構成を簡易化することができる。
【００３３】
図５との対応部分に同一符号を付した図６は、第２実施形態の圧縮機の構造における変形例を示し、クリップ３０の端部３０ａ側に係止部９ａとほぼ同様な係止部３０ｂが形成されている点と、圧縮機１の本体２に係止部３０ｂに対応する係止穴４０が穿設されている点とを除いて、第２実施形態の圧縮機１の構造とほぼ同様に構成されている。
【００３４】
具体的に、クリップ３０は係止部９ａが設けられた一端９ｃと反対側の端部３０ａ側に係止部９ａとほぼ同様の構成でなる係止部３０ｂが設けられてなる。
【００３５】
この係止部３０ｂは、図中矢印Ｙ方向の付勢力を有しており、圧縮機１の本体２に対応して穿設される係止穴４０に挿入されて係止するようになされている。
【００３６】
これにより、上述した第２実施形態のクリップ３０と同様に圧縮機１の本体２の係止穴１０、４０に係止部９ａ、３０ｂを係止した際、端部９ｄ、３０ａが本体２と当接して開口部Ｋ、Ｋ１を塞ぐため、介在した電源コネクタ７および中継端子８をこれら開口部Ｋ、Ｋ１と対応する位置に設けられた溝１１、３１に収めて上方から押圧するように一体に保持することができる。
【００３７】
このとき、この変形例のクリップ３０は、２つの係止部９ａ、３０ｂを有していることから、当該クリップ３０と圧縮機１の本体２とを確実に係止することができ、かくして電源コネクタ７および中継端子８に、ずれを生じることなく確実に圧縮機１の本体２へ固定保持することができる。
【００３８】
なお、本実施形態においては、クリップ３０を２つの係止部９ａ、３０ｂを設けて構成するようにした場合について述べたが、本発明はこれに限らず、例えば図６との対応部分に同一符号を付して示す図７のように、圧縮機１の本体２における、クリップ３０の配線保持部９ｂとコネクタ保持部２５との間の端部９ｄと対向する位置に端部９ｄ挿入用の挿入穴５０を穿設するとともに、この端部９ｄの長さを本体２の挿入穴５０に挿入可能な程度の長さで形成するようにしてもよい。
【００３９】
この場合、クリップ３０の端部９ｄが当該クリップ３０を圧縮機１の本体２に係止した際に挿入穴５０に挿入されるため、端部９ｄと本体２間に隙間が生じるのを防止して開口部Ｋ、Ｋ１を確実に塞ぐことができ、かくして電源コネクタ７と中継端子８とを、より一層確実に圧縮機１の本体２に固定保持することができる利点がある。
【００４０】
図３との対応部部に同一符号を付した図８は、本発明を適用した圧縮機の構造における第３実施形態を示し、電源コネクタ７が係止部７ａを一体に有する点と、これに伴い中継端子８およびクリップ３０が省かれている点とを除いて、上述した第１実施形態の圧縮機１の構造とほぼ同様に構成されている。
【００４１】
実際上、第３実施形態の圧縮機１では、図９に示すように、電源コネクタ７が圧縮機１の本体２に係止するためのばね形状等の弾性構造でなる係止部７ａを、その側面に一体に有しており、この係止部７ａを本体２の係止穴１０に挿入されることによって、電源コネクタ７を本体２に固定保持するようになされている。
【００４２】
従って、配線５を電源コネクタ７部分で圧縮機１の本体２に固定保持することができ、このときの配線５の配設方向を前記駆動軸３の軸方向と交差する方向に規制することができる。
【００４３】
しかも、電源コネクタ７をボルトＢ等を用いることなく、直接圧縮機１の本体２に固定保持できるうえ、配線５にわざわざ中継端子８（図１〜図３参照）を設ける必要がなく、またこの中継端子８を圧縮機１の本体２に固定保持するためのクリップ９を設ける必要がないため、圧縮機１としての部品点数を大幅に削減することができ、構成をより一層簡易化することができる。
【００４４】
なお、本実施形態においては、電源コネクタ７の側面に係止部７ａを一体に設けるようにした場合について述べたが、本発明はこれに限らず、例えば図８との対応部分に同一符号を付した図１０に示すように、係止部７ａを電源コネクタ７の図中下方に設けるようにしてもよい。
【００４５】
この場合、電源コネクタ７において、係止部７ａが電源コネクタ７の下方に形成されるため、電源コネクタ７の側面方向に形成される場合に比べて設置場所における占有面積を削減することができる利点がある。
【００４６】
ところで、本発明の圧縮機の構造を前記第１〜第３実施形態に例を取って説明したが、本発明はこれに限ることなく、本発明の要旨を逸脱しない範囲で各種実施形態を採用することができる。
【００４７】
例えば、電磁クラッチ４と電源コネクタ７との間の配線５に中継端子８を設けるようにした場合ついて述べたが、この中継端子８にかわってコネクタ等の連結器を設けるようにしてもよい。
【図面の簡単な説明】
【図１】本発明の第１実施形態である圧縮機を示す上面図である。
【図２】図１の圧縮機における要部を示す斜視図である。
【図３】図１中Ａ−Ａ’線に沿った要部拡大断面図である。
【図４】本発明の第１実施形態における変形例を示す要部拡大断面図である。
【図５】本発明の第２実施形態を示す要部拡大断面図である。
【図６】本発明の第２実施形態における変形例を示す要部拡大断面図である。
【図７】本発明の第２実施形態における他の変形例を示す要部拡大断面図である。
【図８】本発明の第３実施形態を示す要部拡大断面図である。
【図９】図８の電源コネクタを拡大して示す斜視図である。
【図１０】本発明の第３実施形態における変形例を示す要部拡大断面図である。
【符号の説明】
１　　圧縮機
２　　本体
３　　駆動軸
４　　電磁クラッチ
５　　配線
７　　電源コネクタ
７ａ　係止部
８　　中継端子
９　　クリップ（規制手段）
９ａ　係止部
９ｂ　配線保持部
９ｄ　端部
１０　　係止穴
１１　　溝
２０　　挿入穴
２５　　コネクタ保持部
３０　　クリップ（規制手段）
３０ａ　端部
３０ｂ　係止部
３１　　溝
４０　　係止穴
Ｋ　　開口部
Ｋ１　開口部
【図１】
2004052714.tif 000003
【図２】
2004052714.tif 000004
【図３】
2004052714.tif 000005
【図４】
2004052714.tif 000006
【図５】
2004052714.tif 000007
【図６】
2004052714.tif 000008
【図７】
2004052714.tif 000009
【図８】
2004052714.tif 000010
【図９】
2004052714.tif 000011
【図１０】
2004052714.tif 000012